(57)【要約】【課題】  コンテンツの編集作業がユーザーにとって負荷が大きい。【解決手段】  本ディジタル信号記録再生装置は、再生ディジタル信号を一定間隔スキップする情報を受信する受信部と、ディジタル信号を圧縮する圧縮部と、圧縮されたディジタル信号を前記記録メディアに記録する記録部と、前記記録メディアから圧縮されたディジタル信号を再生する再生部と、前記圧縮部、前記記録部および前記再生部を制御する制御部を備える。  そして、圧縮された第１のディジタル信号を前記記録メディアから再生する第１のモードと、前記第１のディジタル信号から前記受信部のスキップ情報期間を除去した第２のディジタル信号とし、前記記録メディアに再度記録する第２のモードとを有し、前記制御部は、前記第１のモードと前記第２のモードを併行して行うようにした。【選択図】  図１
2005311641.tif 000002
【特許請求の範囲】
【請求項１】
ディジタル信号を記録メディアに記録および再生するディジタル信号記録再生装置において、
再生ディジタル信号を一定間隔スキップする情報を受信する受信部と、
ディジタル信号を圧縮する圧縮部と、
圧縮されたディジタル信号を前記記録メディアに記録する記録部と、
前記記録メディアから圧縮されたディジタル信号を再生する再生部と、
前記圧縮部、前記記録部および前記再生部を制御する制御部を具備し、
圧縮された第１のディジタル信号を前記記録メディアから再生する第１のモードと、
前記第１のディジタル信号から前記受信部のスキップ情報期間を除去した第２のディジタル信号とし、
前記記録メディアに再度記録する第２のモードとを有し、
前記制御部は、前記第１のモードと前記第２のモードを併行して行うことを特徴とするディジタル信号記録再生装置。
【請求項２】
ディジタル信号を記録メディアに記録および再生するディジタル信号記録再生装置において、
再生ディジタル信号を一定間隔スキップする情報を受信する受信部と、
ディジタル信号を圧縮する圧縮部と、
圧縮されたディジタル信号を前記記録メディアに記録する記録部と、
前記記録メディアから圧縮されたディジタル信号を再生する再生部と、
前記圧縮部、前記記録部および前記再生部を制御する制御部を具備し、
圧縮された第１のディジタル信号を前記記録メディアから再生する第１のモードと、
前記第１のディジタル信号から前記受信部のスキップ情報期間を除去した第２のディジタル信号とし、
前記記録メディア内に記録された管理情報を更新する第２のモードとを有し、
前記制御部は、前記第１のモードと前記第２のモードを併行して行うことを特徴とするディジタル信号記録再生装置。
【請求項３】
請求項１及び２に記載のディジタル信号記録再生装置において、
一定間隔スキップする情報を１回の設定において、ディジタル信号を30秒スキップする信号としたことを特徴とするディジタル信号記録再生装置。
【請求項４】
請求項１及び２に記載のディジタル信号記録再生装置において、
一定間隔スキップする情報を、特殊再生設定信号としたことを特徴とするディジタル信号記録再生装置。
【請求項５】
請求項１及び２に記載のディジタル信号記録再生装置において、
前記第１のディジタル信号を前記第２のディジタル信号に変換し前記記録メディアに記録した後、前記第１のディジタル信号を前記記録メディアから削除することを特徴とするディジタル信号記録再生装置。
【発明の詳細な説明】
【技術分野】
【０００１】
本発明は、ディジタル信号を記録メディアに記録または再生するディジタル信号記録再生装置に関し、特に記録メディア上に記録されたデータを再生すると同時に、不要部分を削除したデータを構築する装置に関する。
【背景技術】
【０００２】
近年、衛星ディジタル放送の普及に加え、地上波ディジタル放送も開始され、放送のディジタル化が推進されている。
【０００３】
これに対応する記録再生装置として、家庭用のビデオテープレコーダに代えて、ハードディスクドライブ装置（以後ＨＤＤと呼ぶ）やＤＶＤ−ＲＡＭ（Digital  Versatile Disc Random Access Memory），ＤＶＤ−ＲＷ(Digital  Versatile Disc-Rewritable)等を記録メディアとするＨＤＤレコーダやＤＶＤレコーダ、またこれらを一体化したいわゆるハイブリッドレコーダが製品化されている。
【０００４】
ハイブリッドレコーダは、ＨＤＤへ一時記録したコンテンツを保存用として、リムーバブルなＤＶＤへ記録する使用方法が考えられる。また、保存用とする場合は、コマーシャル（以後ＣＭと略す）やユーザーが必要としない部分などをユーザーが選択し削除する編集機能も考えられている。
【０００５】
ＣＭ削除処理について、録画した映像情報に対して、ユーザーが編集モードを選択して位置情報を設定することにより、ＣＭ等の特定映像をスキップもしくは、削除する技術が特許文献１に開示されている。
【０００６】
【特許文献１】特開２００３−３２３７８４号公報
【発明の開示】
【発明が解決しようとする課題】
【０００７】
保存用としては、ハードディスクに記録したコンテンツとしては、例えばドラマなどの連続した複数番組を1枚のＤＶＤにまとめて書込む使用方法がある。
【０００８】
この場合、ユーザーにとって、ＣＭ等の特定映像が不要であれば、ＣＭ等の特定映像を削除する編集処理を各々の番組に対して施した後、ＤＶＤに書込む処理を行う。
【０００９】
複数の番組ごとに位置情報を設定することは、ユーザーにとっての負荷となるため、不要部分を編集する作業をユーザーが意識せずに実現することが望まれる。
【００１０】
再生時においては、ハイブリッドレコーダには、簡易的なＣＭスキップ，サーチ用として、再生中のコンテンツを３０秒スキップする機能を有するものがある。
【００１１】
再生時には、ユーザーがＣＭ等の特定映像の挿入区間を認識したとき、この３０秒スキップボタンを設定しＣＭ等の特定映像スキップを実現している。
【００１２】
本発明は、上記課題を解決するために、前記再生時に実現しているＣＭ等の特定映像スキップをしたディジタル信号を利用し、再度記録メディアに記録しなおすことにより不要部分の削除を新たに行う必要をなくした記録再生装置を提供することを目的とする。
【課題を解決するための手段】
【００１３】
上記課題を解決するために、本ディジタル信号記録再生装置は、再生ディジタル信号を一定間隔スキップする情報を受信する受信部と、ディジタル信号を圧縮する圧縮部と、圧縮されたディジタル信号を前記記録メディアに記録する記録部と、前記記録メディアから圧縮されたディジタル信号を再生する再生部と、前記圧縮部、前記記録部および前記再生部を制御する制御部を備える。
【００１４】
そして、圧縮された第１のディジタル信号を前記記録メディアから再生する第１のモードと、前記第１のディジタル信号から前記受信部のスキップ情報期間を除去した第２のディジタル信号とし、前記記録メディアに再度記録する第２のモードとを有し、前記制御部は、前記第１のモードと前記第２のモードを併行して行うようにした。
圧縮された第１のディジタル信号を前記記録メディアから再生する第１のモードと、また、前記第１のディジタル信号から前記受信部のスキップ情報期間を除去した第２のディジタル信号とし、前記記録メディア内に記録された管理情報を更新する第２のモードとを有し、前記制御部は、前記第１のモードと前記第２のモードを併行して行うようにした。前記一定間隔スキップする情報を１回の設定において、ディジタル信号を30秒スキップする信号もしくは、特殊再生設定信号とした。
【００１５】
また、前記第１のディジタル信号を前記第２のディジタル信号に変換し前記記録メディアに記録した後、前記第１のディジタル信号を前記記録メディアから削除するようにした。
【発明の効果】
【００１６】
本発明によれば、スキップしたい特定映像を再度記録し直す必要がないため、使い勝手を向上させた記録再生装置を提供することができる。
【発明を実施するための最良の形態】
【００１７】
以下、本発明の実施例について図面を参照して説明する。
【実施例１】
【００１８】
図１は、本発明を適用したディジタル信号記録再生装置の一実施形態を示すブロック図である。
【００１９】
本実施例は、受信したアナログ放送とディジタル放送をＨＤＤもしくは、ＤＶＤへ記録し、例えば、プラズマディスプレイや液晶ディスプレイに接続し視聴するものである。
その構成は、アナログ放送を受信する受信部１０１、受信部により受信した例えばＮＴＳＣ（National  Television  System  Committee）方式の映像信号を抽出する為のアナログチューナ１０２、受信した映像信号から伝送途中に反射等により発生したゴーストを除去するゴースト除去部１０３、映像信号のフレーム相関を利用し輝度信号と色信号に分離した後、ノイズを除去する輝度・色信号分離部１０４、輝度，色信号に分離された映像信号を例えば、ベースバンドの映像信号にデコードするＮＴＳＣデコーダ１０５、ＮＴＳＣデコーダ１０５からリアルタイムに供給されるベースバンドの映像信号を、例えばＭＰＥＧ（Moving Picture Experts Group）規格を用いて高能率にディジタル圧縮符号化するエンコーダ１０６、ディジタル放送を受信する受信部１０７、ディジタルチューナ１０８である。
【００２０】
ディジタルチューナ１０８から供給されるディジタル映像信号は、画像／音声のストリームをＭＰＥＧ２方式によりコード化したエレメンタリーストリーム（Elementary Stream）を、共通のタイムベースごとにＰＥＳ（Packetized Elementary Stream）パケットに取り込み、該ＰＥＳパケットを複数結合したトランスポートストリーム（以下ＴＳとする）というストリームで供給される。記録再生制御部１０９は、エンコーダ１０６とディジタルチューナ１０８とから入力されるＴＳ入力と記録メディアの１つであるＨＤＤ１１０、記録メディアの１つであるＤＶＤ１１１に記録されたコンテンツを再生した信号を一時バッファリングし、記録メディア１０９へはＴＳで、ＨＤＤ１１０にはＰＳ（Program Stream）に変換した後、記録と再生を時分割に調停し、連続的に記録再生を可能とする。デコーダ１１２は少なくとも２つ以上のＴＳ入力をデコードするものであり、デコーダを２個に分割した構成でも構わない。描画処理部１１３は、デコーダ１０５，１１２からの映像信号を、１画面あるいは２画面に同時描画処理し、ディスプレイへ映像信号を出力する。この出力１１４を、例えばプラズマディスプレイや液晶ディスプレイに接続する。制御部１１５は、チューナ選局，記録，再生など各部の制御内容を司る、例えばマイクロプロセッサなどである。表示部１１６は制御部１１５の制御に対応した処理内容をユーザーに通知するものである。表示部１１６は装置外部に接続する構成でもよい。リモコンインタフェース部１１７、受信部１１８は、例えば赤外線により、制御部１１５に記録，再生等の信号を外部から供給する遠隔操作を可能とする。
【００２１】
図２は、記録メディア１０９に記録されたコンテンツの管理情報を示す図であり、記録されたコンテンツごとに記録管理情報２００が２０１，２０２…，２０８が存在する。
図３は、管理情報の詳細を示す例であり、記録管理情報２００内には、コンテンツ情報３０１，３０５，３０９とＣＭ情報３０２，３０３，３０４，３０６，３０７，３０８，３１０，３１１が存在する。
【００２２】
図４は、上記実施例においてユーザーが再生時にＣＭスキップした際に、ＣＭスキップされたコンテンツを再度記録しなおしたコンテンツ情報を示す図である。ここでは、ＣＭ１，２，３，４，７，８がユーザーによりスキップが実行された場合で
ＣＭ７，８はスキップされなかったＣＭを示し、（ａ）は再生されたコンテンツ、（ｂ）はスキップ入力信号、（ｃ）はタイムシフト再生したコンテンツ、（ｄ）はＣＭ除去を行い際記録されたコンテンツを示すものである。
【００２３】
図５は、上記実施例において再生時のＣＭスキップに連動してＣＭ除去編集を行う際のフローチャートを示す図であり、リモコンにより制御（ａ）が開始され、その制御信号に基づき記録再生装置の制御（ｂ）を実行するものである。
【００２４】
記録再生装置１００は、電源が起動していた場合は待機状態（Ｓ１００）となっており，リモコンＩ／Ｆ１１８からの入力信号待ち（Ｓ１０１）となっている。
【００２５】
まず、リモコンにより、今から再生するコンテンツにおいて、編集記録を行うか，編集を行った際、元コンテンツを削除するか否かを設定されたことにより（Ｓ２００）、
受信部１１８，リモコンＩ／Ｆ１１７経由で制御部１１５に再生すべきコンテンツの情報と再生モードが通知される。制御部１１５は、管理情報２００から再生すべきコンテンツ情報を検索し、該当するコンテンツの再生を実行するため、
記録再生制御部１０９，ＨＤＤ１１０，デコーダ１１２，描画処理部１１３を再生モードに設定し（Ｓ１０２）、再生開始待ち状態となる（Ｓ１０３）。再生するコンテンツを記録管理情報２０１として説明する。
【００２６】
次に、リモコンにより、再生開始が通知されると（Ｓ２０１）制御部１１５は、編集モードに設定されているか判別し（Ｓ１０４）、設定されていた場合は、同一コンテンツをタイムシフト再生し、同一記録メディアにコピーを開始する（Ｓ１０５）。
【００２７】
編集を設定していない場合は、通常の再生のみの処理を逐次実行する（Ｓ１０６）。
【００２８】
視聴が継続され、図４の(e)区間に達し、ユーザーがＣＭをスキップするためにリモコンを介して、３０秒スキップボタンを入力した（Ｓ２０２）場合、
記録再生装置１００は、タイムシフトしているコンテンツ（ｃ）のスキップ挿入区間（ｅ）に相当する記録管理情報を分割し（Ｓ１１４）、再記録する管理情報から除外し、
スキップ挿入区間が解除された時点から、除外区間のアドレスをつめた（ｄ）のコンテンツとして記録を実行する（Ｓ１１５）。
【００２９】
更に再生が継続され、図４中の（ｆ），（ｇ）区間でも同様な処理が実行される（Ｓ２０３，４）。但し、図４（ａ）のＣＭ５，６のようにＣＭ区間であっても、ユーザーによるスキップ入力が挿入さなければ、最記録は実行される。
【００３０】
更に再生が継続され、ユーザーによる再生停止がリモコンにより入力されると（Ｓ２０５）、制御部１１５は、編集モードで且つ、再生終了時点でコンテンツを削除する設定をしていた場合に限り、記録管理情報２０１のコンテンツを削除し（Ｓ１１０）、編集された新規コンテンツを記録管理情報に登録完了する（Ｓ１１１）。そして、ＨＤＤ１１０，記録再生制御部１０９を終了状態に設定し（Ｓ１１２）、一連の再生処理を完了する（Ｓ１１３）。
【００３１】
この処理が完了した時点で、図４の（ａ）のコンテンツをユーザーが視聴時において、不要と判断したＣＭ部分を削除した新規コンテンツ（ｄ）が作成されているため、
新規コンテンツをＤＶＤ１１１に記録することにより、ユーザーが編集のためだけに拘束されることがなくなり、使い勝手が向上する。
【００３２】
本実施例では、一旦ＨＤＤ１１０に最記録しなおしたが、直接ＤＶＤ１１１へ記録してもかまわない。
【実施例２】
【００３３】
また、再生時において、図４の（ｂ）に示すユーザーによるスキップ入力を、記録管理情報２００のパラメータの一つとして登録し、ダビングや次回の再生開始時において、前記パラメータを参照して、記録メディアから再生するができ、ユーザーの不要部分を削除したコンテンツを得ることができ、同様な効果がある。
【実施例３】
【００３４】
次に図６は、編集する信号として、特殊再生ボタンを用いた際のフローチャートを示す図である。
【００３５】
ここで、前述第１の実施例と異なる点は、１回のＣＭなどは３０秒前後で終了するが、番組内の一定期間だけを編集したい場合に特殊再生ボタンを使用し、
必要な部分のみ通常再生とすることにより、例えば、コンテンツのダイジェスト編集などが可能となる。
【実施例４】
【００３６】
次に図７を用いて、本発明による第４の実施例を説明する。第１の実施例（図１）では、エンコーダ１０６には、アナログチューナ１０１からの信号のみとしていたが、切換部１１９を設置し、デコーダ１１２からの信号を選択して可能とした。
【００３７】
これにより、記録コンテンツから不要部分を編集しつつ、編集を行うコンテンツを再エンコードにすることが可能となり、ＨＤＤ１１０，ＤＶＤ１１１の残容量に合わせて、最適化を実行することができる。
【００３８】
以上の実施例により、ハードディスクに記録したコンテンツを視聴する際に、ユーザーが３０秒スキップもしくは、特殊再生を選択した部分を除いたコンテンツとして再度ハードディスクに記録もしくは、記録管理情報を更新することにより、例えばＣＭ部分をカットした編集処理を意識せずに実行する記録再生装置を提供できる。
【００３９】
また、編集後のコンテンツの記録が終了した時点で、編集前のコンテンツを削除することにより、ハードディスクの容量も最適化できる。
【００４０】
また、記録コンテンツから不要部分を編集しつつ、記録メディアの残容量に合わせた最適化を実行することができる。
【図面の簡単な説明】
【００４１】
【図１】本発明の第１の実施形態に係る記録再生装置のブロック構成を示す図である。
【図２】本発明の第１の実施形態に係る記録管理情報の構成を示す図である。
【図３】本発明の第１の実施形態に係る記録管理情報の構成を示す図である。
【図４】本発明の第１の実施形態に係る制御方法を示す図である。
【図５】本発明の第１の実施形態に係る制御方法を示すフローチャートである。
【図６】本発明の第２の実施形態に係る制御方法を示すフローチャートである。
【図７】本発明の第３の実施形態に係る記録再生装置のブロック構成を示す図である。
【符号の説明】
【００４２】
１００…ＨＤＤ／ＤＶＤレコーダ，１０１，１０７，１１８…入力端子，１０２…アナログチューナ，１０３…ゴースト除去部，１０４…輝度・色信号分離部，１０５…デコーダ，１０６…エンコーダ，１０８…ディジタルチューナ，１０９…記録再生制御部，
１１０…記録メディアの１つであるＨＤＤ，１１１…記録メディアの１つであるＤＶＤ，１１２…デコーダ，１１３…描画処理部，１１４…出力端子，１１５…制御部，１１６…表示部，１１９…切換部，２００、２０１、２０２、２０３、２０４…記録管理情報，３０１，３０５，３０９…コンテンツ情報，３０２，３０３，３０４，３０６，３０７，３０８，３１０，３１１…ＣＭ情報
【図１】
2005311641.tif 000003
【図２】
2005311641.tif 000004
【図３】
2005311641.tif 000005
【図４】
2005311641.tif 000006
【図５】
2005311641.tif 000007
【図６】
2005311641.tif 000008
【図７】
2005311641.tif 000009